(57)【要約】【課題】非常時に容易に取り出すことができ、かつ通常時においても無駄なく使用可能であり、デザイン的にも優れた照明装置を提供する。【解決手段】通常の使用の際には、載置部２０から上方に延びる支持部３０に灯体４０を支持した状態で、灯体４０に設けられた光源部４１を点灯させることにより下方（載置部に向かう方向）を照らして通常の電気スタンドとして使用したり、あるいは灯体４０を支持部３０から取り外して懐中電灯として使用することができる。一方、停電時等の非常の際には、灯体４０に内蔵されている充電部４４を常時充電しておくことにより、光源部４１の補助光源４３を点灯することができる。補助光源光軸ＢＭ２は、下方を照らしている主光源光軸ＢＭ１と交差する方向、すなわち例えば水平方向に向いているため、停電時等の暗闇においても容易に灯体４０の位置を視認することができる。なお、補助光源４３は、非常時に点灯させるものであるが、通常時においても点灯させるようにしても良い。【選択図】図１
2007335282.tif 000002
【特許請求の範囲】
【請求項１】
水平面に載置可能な載置部と、
前記載置部に支持されて上方に延びる支持部と、
前記支持部に支持された灯体と、
前記灯体に設けられた光源部とを備え、
前記灯体が前記支持部に対して着脱可能な照明装置であって、
前記光源部が主光源および補助光源を有するとともに、前記補助光源を点灯させるために前記灯体に内蔵された充電部を有し、
前記主光源の主光源光軸が前記載置部に向かって配向されているとともに、前記補助光源の補助光源光軸が前記主光源光軸に対して交差配向されていることを特徴とする照明装置。
【請求項２】
前記補助光源を点灯および消灯するために前記灯体に設けられたスイッチを有し、
前記支持部に前記灯体が連結されているときに隠れる箇所に前記スイッチが配置されている請求項１記載の照明装置。
【発明の詳細な説明】
【技術分野】
【０００１】
本発明は、例えば主に枕元での使用に適した照明装置に係り、特に光源を携帯できるように着脱可能であるとともに、停電時に自動点灯する非常灯を有する照明装置に関するものである。
【背景技術】
【０００２】
従来の照明装置は、図６に示すように、第１の器具本体と第２の器具本体から構成されており、取り外して携帯しながら照明することが可能になっている（例えば特許文献１参照）。
すなわち、特許文献１に記載の照明装置１００では、第１の器具本体１０１と、光源であるランプ１０２ａを有する第２の器具本体１０２からなり、第１の器具本体１０１の接続器１０３と第２の器具本体１０２の接続器１０４によって電気的かつ機械的に分離可能に接続されている。
【０００３】
そして、全体として照明装置１００を構成するように、第１の器具本体１０１をスタンド台とし、第２の器具本体１０２をスタンド台の上端に取り付けられる灯具としている。第１の器具本体１０１には、第１の二次電池１０５が設けられており、外部電源に接続されている状態で充電可能となっている。これにより、停電時のように外部電源が断たれた場合でも第１の二次電池１０５によりランプ１０２ａが点灯可能となっている。
また、第２の器具本体１０２には、第２の二次電池１０６が設けられており、外部電源に接続された状態で充電されるようになっている。このため、第２の器具本体１０２が第１の器具本体１０１から切り離された場合でも、ランプ１０２ａは第２の二次電池１０６によって点灯可能となっており、第２の器具本体１０２のみを分離して照明装置として使用することが可能になっている。
【特許文献１】特開平６−３３３６７７号公報（第３頁、第１図）
【発明の開示】
【発明が解決しようとする課題】
【０００４】
ところで、近年、非常灯は停電時に周りを照らそうとしたときに、すぐに取り出すことができるものであるべきとの要望がある。例えばホーム保安灯は、通常、コンセントのある壁際で足元に設置されており、そのため、寝ている場所から遠い場合が多く、咄嗟の場合に取り出しにくい場合がある。
また、懐中電灯型の非常灯は、置き型なので設置場所から移動することもあり、暗い場合には探しにくいし、非常時以外の生活においては、使用する場面がほとんどなく無駄である。さらに、普段の生活で使用することを考慮していないため、デザイン性も改善してほしいとの要望がある。
【０００５】
本発明は、従来の問題を解決するためになされたもので、非常時に容易に取り出すことができ、かつ、通常時においても無駄なく使用可能であり、デザイン的にも優れた照明装置を提供することを目的とする。
【課題を解決するための手段】
【０００６】
本発明の照明装置は、水平面に載置可能な載置部と、前記載置部に支持されて上方に延びる支持部と、前記支持部に支持された灯体と、前記灯体に設けられた光源部とを備え、前記灯体が前記支持部に対して着脱可能な照明装置であって、前記光源部が主光源および補助光源を有するとともに、前記補助光源を点灯させるために前記灯体に内蔵された充電部を有し、前記主光源の主光源光軸が前記載置部に向かって配向されているとともに、前記補助光源の補助光源光軸が前記主光源光軸に対して交差配向されている構成を有している。
【０００７】
この構成により、通常の使用の際には、載置部から上方に延びる支持部に灯体を支持した状態で、灯体に設けられた光源部を点灯させることにより下方（載置部に向かう方向）を照らして通常の電気スタンドとして使用したり、あるいは灯体を支持部から取り外して懐中電灯として使用することができる。
【０００８】
一方、停電時等の非常の際には、灯体に内蔵されている充電部を常時充電しておくことにより、光源部の補助光源を点灯することができる。補助光源光軸は、下方を照らしている主光源光軸と交差する方向、すなわち例えば水平方向に向いているため、暗闇においても容易に灯体の位置を視認することができる。
なお、補助光源は、非常時に点灯させるものであるが、通常時においても点灯させるようにしても良い。このため、補助光源の点灯は、通常使用時においては、ＡＣ電源を用いてスイッチによりＯＮ／ＯＦＦするようにしても良い。
【０００９】
非常時においては、停電時にＡＣ電源がＯＦＦとなったことを検知して、充電部により点灯するようにする。これにより、停電時に灯体の位置を容易に視認することができる。
また、通常、支持部に取り付けて使用している灯体を、支持部から取り外した際に自動的に点灯するようにして、非常灯として使用する他、支持部から灯体を取り外した際には点灯しないが、灯体に設けられているスイッチによって点灯させることにより、懐中電灯として使用することが可能になる。
【００１０】
また、本発明の照明装置は、前記補助光源を点灯および消灯するために前記灯体に設けられたスイッチを有し、前記支持部に前記灯体が連結されているときに隠れる箇所に前記スイッチが配置されている構成を有している。
【００１１】
この構成により、灯体を支持部に取り付けている場合にはスイッチが見えないので、外観を良くすることができる。また、灯体を支持部から取り外した際に補助光源を自動点灯させるようにＯＮとしてある場合に、誤操作によりスイッチをＯＦＦとして灯体を取り外した際に補助光源が点灯しないようにするのを防止することができる。
なお、灯体を支持部に取り付けた際にはスイッチは隠れているが、この状態でも意識的に操作できるようにしておくことも可能である。
【発明の効果】
【００１２】
本発明は、灯体の光源部に主光源および補助光源を設けるとともに灯体内部に充電部を設けたので、停電時に補助光源を点灯させることができ、懐中電灯として使用することができる。
また、補助光源の光軸を下方を向いている主光源の光軸に対して交差する方向に設けたので、停電時に周囲から容易に灯体を視認することができるという効果を有する照明装置を提供することができるものである。
【発明を実施するための最良の形態】
【００１３】
以下、本発明の実施の形態の照明装置について、図面を用いて説明する。
図１は本発明の実施の形態に係る照明装置の分解斜視図、図２（Ａ）は照明装置の側面図、図２（Ｂ）〜（Ｄ）は灯体の正面図、底面図および端面図、図２（Ｅ）および（Ｆ）は載置部の平面図および正面図、図３は載置部の透視図、図４（Ａ）〜（Ｃ）は灯体の透視図である。
【００１４】
図１において、照明装置１０は、水平面に載置可能な載置部２０と、この載置部２０に支持されて上方に延びる支持部３０と、この支持部３０に支持された灯体４０と、この灯体４０に設けられた光源部４１とを備えており、灯体４０が支持部３０に対して着脱可能となっている。
そして、光源部４１が主光源４２および補助光源４３を有するとともに、補助光源４３を点灯させるために灯体に内蔵された充電部４４（図４参照）を有し、主光源４２の主光源光軸ＢＭ１が載置部２０に向かって配向されているとともに、補助光源４３の補助光源光軸ＢＭ２が主光源光軸ＢＭ１に対して交差配向されている構成を有している。
【００１５】
図１および図２（Ａ）に示すように、載置部２０は照明装置１０を支える土台であり、例えば枕もとの平坦な場所に載置される。載置部２０は、図２（Ｅ）および（Ｆ）に示すように、例えばＡＢＳ樹脂製で角部に丸みを設けた矩形状の見栄えの良い筐体２１を有している。
また、図３に示すように、筐体２１の内部には、光源部４１を点灯させるための外部電源である電源装置２２および照明装置１０の安定化を図るための錘２３を備えている。錘２３は例えば真鍮製であり、載置部２０よりも前に出ている灯体４０によって転倒しないように設けられている。図１に示すように、載置部２０の上面で支持部３０が取り付けられている部分に対応して、主光源用スイッチ１１が設けられており、美観の観点から、載置部２０の上面と同一面となるようにしている。従って、スイッチ１１を押した後も、載置部２０の上面まで戻るようにするのが望ましい。
【００１６】
図２（Ａ）に示すように、支持部３０は載置部２０の一端部（図１において左端部）から一旦後方へ延びた後、上前方へ延び、さらに前方へ略水平に延びて全体コ字状となっており、その先端に灯体４０が取り付けられている。
これにより、支持部３０の上部先端に取り付けられた灯体４０が載置部２０よりも前方へ突出するようにして、下方を照射し易いようにしている。支持部３０は、例えばアルミ製の薄い矩形状断面の部材で構成されており、アームの存在感をなくして灯体４０が目立つようにしている。支持部３０の上先端部には灯体支部３１が取り付けられており、灯体支部３１には水平に円筒形状の灯体取付突起３２が設けられている。
【００１７】
図１および図２（Ａ）に示すように、支持部３０の上端に設けられている灯体支部３１には、灯体４０が着脱可能に設けられている。
灯体４０は、図２（Ｂ）〜（Ｄ）に示すように、例えばＡＢＳ樹脂製で角部に丸みを設けた矩形状の見栄えの良い筐体４５を有しており、全体として載置部２０と同様な形状で同様な印象を与えるようになっている。また、灯体４０を取り外して単体で使用する際には、使用者が片手で持ちやすいような大きさおよび形状となっている。筐体４５の底面には主開口４６が設けられており、この主開口４６には透明アクリル製のＬＥＤカバー４７が取り付けられている。主開口４６およびＬＥＤカバー４７は、灯体４０の先端部（図４（Ｂ）において右端部）寄りに設けられており、単体の灯体４０をつかんだ際にできるだけＬＥＤカバー４７に手が触れないようにしている。ＬＥＤカバー４７は、プリズム加工が施されており、光を拡散させるようになっている。また、筐体４５の端面には補助開口４８が設けられており、この補助開口４８には透明アクリル製のスポットレンズ４９が取り付けられている。
【００１８】
図４（Ａ）および（Ｂ）に示すように、灯体４０の一方の端面には、支持部３０の灯体取付突起３２が嵌合して灯体４０を支持部３０の上端に取り付けるためのジャック式接続部５１が設けられており、灯体４０は支持部３０の灯体支部３１に容易に着脱できるようになっている。灯体４０は、灯体支部３１に取り付けられると、機械的に取り付けられるとともに、電気的にも接続され、主光源用スイッチ１１のＯＮ／ＯＦＦによって載置部２０の電源装置２２から電気を供給されるようになっている。
なお、灯体４０は、灯体取付突起３２に取り付けた状態で、灯体取付突起３２を中心として３６０度回転可能となっており、ＬＥＤカバー４７の向きを変えて主光源４２による照射範囲を変えることができるようになっている。
【００１９】
図１および図４に示すように、灯体４０の筐体４５内部には、主光源４２および補助光源４３を有する光源部４１が設けられている。
主光源４２は、例えば４個のＬＥＤ４２ａから構成されており、主光源４２の薄型化および軽量化を図っている。ＬＥＤ４２ａとしては、例えば枕元において使用する際に目に優しい高輝度電球色ＬＥＤを使用することができる。このＬＥＤ４２ａは、載置部２０に設けられている電源装置２２からの電気によって点灯するようになっている。
なお、主光源４２の点灯・消灯は、載置部２０に設けられている主光源用スイッチ１１の押圧により行われる。従って、主光源４２からの光ＢＭ１は、筐体４５の主開口４６に設けられている透明なＬＥＤカバー４７を通って、拡散されて照射されることになる。
【００２０】
一方、補助光源４３は、例えば１個のＬＥＤ４３ａで構成されている。このＬＥＤ４３ａとしては、例えば輝度が高い高輝度白色ＬＥＤを用いることができ、灯体４０の端部に設けられている補助光源用スイッチ１２によってＯＮ／ＯＦＦされるようになっている。従って、補助光源４３からの光ＢＭ２は、筐体４５の補助開口４８に設けられているスポットレンズ４９を通って、スポット光で照射されることになる。
なお、補助光源用スイッチ１２はスライド式が望ましく、灯体４０が支持部３０に連結されているときには隠れて見えない箇所に設けられている。これにより、通常時には補助光源用スイッチ１２を操作することができず、灯体４０を支持部３０から取り外して始めて外部に露出し、操作することが可能になる。これにより、外観を改善するとともに、非常時以外の際に誤って操作することがないようにしている。
【００２１】
また、灯体４０の筐体４５内部には、充電部４４が設けられている。充電部４４は、例えば単三電池の大きさの充電池４４ａを３本程度有して主光源４２のＬＥＤ４２ａの上に配置されており、灯体４０を支持部３０に取り付けている際には、載置部２０の電源装置２２からの電力により常時充電状態となっている。
従って、停電時等に電源装置２２からの電気が断たれた場合や、灯体４０を支持部３０から取り外した場合には、充電池４４ａによって補助光源４３が点灯するようになっている。
【００２２】
次に、以上のように構成された照明装置１０について、その動作を説明する。
通常の使用の際には、図２（Ａ）に示すように、載置部２０から上方に延びる支持部３０に灯体４０を取り付けた状態で、通常の電気スタンドとして使用することができる。この際には、載置部２０に設けられている主光源用スイッチ１１のＯＮ／ＯＦＦにより、載置部２０に設けられている電源装置２２を用いて主光源４２を点灯させて、灯体４０のＬＥＤカバー４２ａの向きに対応して照射する。なお、補助光源４３は、後述するように、主に非常時に点灯させるものであるが、通常時においても点灯させるようにしても良い。このため、補助光源４３の点灯は、通常使用時においては、載置部２０の電源装置２２を用いて補助光源用スイッチ１２によりＯＮ／ＯＦＦできるようにして、充電池４４ａの消耗を避けるのが良い。
【００２３】
一方、停電時等の非常の際には、載置部２０の電源装置２２からの電気が断たれるので主光源４２は点灯できないが、補助光源４３は電源装置２２がＯＦＦとなったのを検知して充電池４４ａを用いて自動で点灯するようにする。
すなわち、例えば補助光源４３を制御する回路にノーマリーＯＮのリレーを組み込むことにより、電源装置２２からの電圧がかかっているときにはＯＦＦとなり、電源装置２２からの電圧がなくなるとＯＮになるようにする。この際、補助光源４３の光軸ＢＭ２は、主光源４１の光軸ＢＭ１と交差する方向に向いているため、暗闇においても容易に灯体４０の位置を視認することができる。
【００２４】
また、灯体４０を支持部３０の灯体取付突起３２から引き抜いて取り外すことにより、懐中電灯として使用することができる。取り外して使用する場合には、前述した停電時等の場合と同様に載置部２０の電源装置２２から切り離されているので、補助光源４３を灯体４０内部の充電池４４ａによって自動点灯させる。
この際、補助光源４３の照射口であるスポットレンズ４３が灯体４０の端面に設けられているので、図５に示すように、使用者は持ち易い持ち方で片手で把持して容易に使用することができる。なお、灯体４０を支持部３０から取り外して懐中電灯として使用する際には、必要に応じて補助光源用スイッチ１２をＯＮ／ＯＦＦ操作することにより、補助光源４３を点灯・消灯できるようになっている。
【００２５】
以上のように本発明の実施の形態に係る照明装置１０によれば、灯体４０の光源部４１に主光源４２および補助光源４３を設けるとともに灯体４０内部に充電部４４を設けたので、停電時等の非常時に補助光源４３を点灯させることができ、懐中電灯として使用することができる。
また、補助光源４３の光軸ＢＭ２を主光源４２の光軸ＢＭ１に対して交差する方向に設けたので、停電時等の暗闇においても周囲から容易に灯体を視認することができる。
【００２６】
なお、以上の説明では、載置部２０および灯体４０の筐体２１、４５の形状として、角部に丸みを付けた矩形箱状のものを例示したが、このような形状に限定するものではない。外観および使用性を考慮して、その他の形状とすることも可能である。同様に、支持部３０の全体形状および断面形状も変更可能である。
【産業上の利用可能性】
【００２７】
以上のように、本発明にかかる照明装置は、灯体の光源部に主光源および補助光源を設けるとともに灯体内部に充電部を設けたので、停電時に補助光源を点灯させることができ、懐中電灯として使用することができる。
また、補助光源の光軸を下方を向いている主光源の光軸に対して交差する方向に設けたので、停電時に周囲から容易に灯体を視認することができるという効果を有し、例えば主に枕元で使用するのに適し、停電時に自動点灯する非常灯を有する照明装置等として有用である。
【図面の簡単な説明】
【００２８】
【図１】本発明の実施の形態に係る照明装置の分解斜視図
【図２】（Ａ）は照明装置の側面図、（Ｂ）〜（Ｄ）は灯体の正面図、底面図および端面図、（Ｅ）および（Ｆ）は載置部の平面図および正面図
【図３】載置部の透視図
【図４】（Ａ）〜（Ｃ）は灯体の透視図
【図５】灯体を懐中電灯として使用している状態を示す斜視図
【図６】従来の照明装置の断面図
【符号の説明】
【００２９】
１０  照明装置
１２  補助光源用スイッチ（スイッチ）
２０  載置部
３０  支持部
４０  灯体
４１  光源部
４２  主光源
４３  補助光源
４４  充電部
ＢＭ１  主光源光軸
ＢＭ２  補助光源光軸
【図１】
2007335282.tif 000003
【図２】
2007335282.tif 000004
【図３】
2007335282.tif 000005
【図４】
2007335282.tif 000006
【図５】
2007335282.tif 000007
【図６】
2007335282.tif 000008